(57)【要約】【課題】  軽量・安価で誰でも簡単に装着可能で、且つ、眠気防止に多大な効果が有る手袋・固定・ハンドル式眠気防止具を開発・提供する事にある。【解決手段】  車両等のハンドルを握る時や受験勉強時に使用する複数の通風穴を有する手袋と、手袋の手首部分に装着した眠気防止装置から成り、該眠気防止装置は上下分割可能な装置本体と、駆動手段により回転させて送風するファンから成り、且つ、使用時はファンにより冷却した冷風を手袋内に送風して手を冷やし眠気を防止するものである。又、ドライバーや受験勉強者等の手首や足首等に装着して使用するリストバンドや面ファスナーやベルト等の固定部材と、該固定部材のほぼ中央部に設けた眠気防止装置から成り、該眠気防止装置は上下分割可能な装置本体と、駆動手段により回転させて送風するファンから成り、且つ、使用時はファンにより冷却した冷風を手首や足首等に当てて眠気を防止するものである。【選択図】  図１
0003122029.tif 000002
【実用新案登録請求の範囲】
【請求項１】
自動車等の車両運転時のドライバーや受験勉強者等の眠気を覚ます為の用具であって、該用具は主として車両等のハンドルを握る時や受験勉強時に使用する複数の通気穴（１ａ）を有する手袋（１）と、手袋（１）の手首部分に装着した眠気防止装置（２）から成り、該眠気防止装置（２）は上下分割可能な装置本体（２ａ）（２ｂ）と、モートル等の駆動手段（Ｍ）により回転させて送風するファン（２ｄ）から成り、且つ、使用時はファン（２ｄ）により冷風（ＣＡ）を手袋内に送風して手を冷やし眠気を防止する事を特徴とする手袋式眠気防止具。
【請求項２】
用具は主としてドライバーや受験勉強者等の手首や足首等に装着して使用するリストバンドや面ファスナーやベルト等の固定部材（３）と、該固定部材（３）のほぼ中央部に設けた眠気防止装置（２）から成り、該眠気防止装置（２）は上下分割可能な装置本体（２ａ）（２ｂ）と、モートル等の駆動手段（Ｍ）により回転させて送風するファン（２ｄ）から成り、且つ、使用時はファン（２ｄ）により冷風（ＣＡ）を手首や足首等に当てて眠気を防止する事を特徴とする固定式眠気防止具。
【請求項３】
用具は自動車等の車両のハンドル部に直接装着した眠気防止装置であって、該眠気防止装置（２’）は上下分割可能な装置本体（２ａ）（２ｂ）と、モートル等の駆動手段（Ｍ）により回転させて送風するファン（２ｄ）から成り、且つ、使用時はファン（２ｄ）により冷風（ＣＡ）を手に当ててドライバーの眠気を防止する事を特徴とするハンドル式眠気防止具。
【考案の詳細な説明】
【技術分野】
【０００１】
この考案は、自動車等の車両運転時のドライバーや受験勉強者等の眠気を覚ます為の手袋・固定・ハンドル式眠気防止具に関するものである。
【背景技術】
【０００２】
従来、自動車等の車両の運転中の居眠り事故が、毎年の様に多発しており、尊い人命や財産を失い、公共施設や多くの人々達に迷惑が続き、国家的損失も多額に及んでいる状態である。又、被害者及びその家族、加害者及びその家族の生活環境全体が狂ってしまう現状が続いています。そこで、国内でも事故防止の為の予防施設、及び安全対策が色々な場所で案じられ実行されているにもかかわらず、いまだに増え続けている。
【０００３】
しかし、残念ながら、現時点ではこれらを完全に防止する方策は無く、何とか早急に運転中の居眠りを未然に防止する為の用具の開発が望まれている。
【０００４】
これまでに出願されている眠気防止具の特許文献を参考の為、紹介する。（特許文献１〜２参照。）
【特許文献１】特開平６−１９７９７１
【特許文献２】登録実用新案広報第３０２９２３２号
【考案の開示】
【考案が解決しようとする課題】
【０００５】
そこで、上記課題を解決する為に、この考案は軽量・安価で誰でも簡単に装着可能で、且つ、眠気防止に多大な効果が有る手袋・固定・ハンドル式眠気防止具を開発・提供する事にある。
【課題を解決するための手段】
【０００６】
この課題を解決する為の手段として、車両等のハンドルを握る時や受験勉強時に使用する複数の通風穴を有する手袋と、手袋の手首部分に装着した眠気防止装置から成り、該眠気防止装置は上下分割可能な装置本体と、モートル等の駆動手段により回転させて送風するファンから成り、且つ、使用時はファンにより冷風を手袋内に送風して手を冷やし眠気を防止するものである。
【０００７】
又、ドライバーや受験勉強者等の手首や足首等に装着して使用するリストバンドや面ファスナーやベルト等の固定部材と、該固定部材のほぼ中央部に設けた眠気防止装置から成り、該眠気防止装置は上下分割可能な装置本体と、モートル等の駆動手段により回転させて送風するファンから成り、且つ、使用時はファンにより冷風を手首や足首等に当てて眠気を防止するものである。
【０００８】
又、自動車等の車両のハンドル部に直接装着した眠気防止装置であって、該眠気防止装置は上下分割可能な装置本体と、モートル等の駆動手段により回転させて送風するファンから成り、且つ、使用時はファンにより冷風を手に当ててドライバーの眠気を防止するものである。
【考案の効果】
【０００９】
この考案の効果として、車両等のハンドルを握る時や受験勉強時に使用する複数の通風穴を有する手袋と、手袋の手首部分に装着した眠気防止装置から成り、該眠気防止装置は上下分割可能な装置本体と、モートル等の駆動手段により回転させて送風するファンから成り、且つ、使用時はファンにより冷風を手袋内に送風して手を冷やし眠気を防止するものである。又、ドライバーや受験勉強者等の手首や足首等に装着して使用するリストバンドや面ファスナーやベルト等の固定部材と、該固定部材のほぼ中央部に設けた眠気防止装置から成り、該眠気防止装置は上下分割可能な装置本体と、モートル等の駆動手段により回転させて送風するファンから成り、且つ、使用時はファンにより冷風を手首や足首等に当てて眠気を防止するものである。又、自動車等の車両のハンドル部に直接装着した眠気防止装置であって、該眠気防止装置は上下分割可能な装置本体と、モートル等の駆動手段により回転させて送風するファンから成り、且つ、使用時はファンにより冷風を手に当ててドライバーの眠気を防止する事で、軽量・安価で誰でも簡単に装着可能で、且つ、眠気防止に多大な効果が有る等、極めて有益なる効果を奏するものである。
【００１０】
又、本発明の手袋・固定・ハンドル式眠気防止具は、眠気防止用のみに限らず、夏の炎天下で作業をする際に扇風機代わりに使用する等、多用途・多目的に使用可能である。
【考案を実施するための最良の形態】
【００１１】
この考案の最良の形態として、ドライバーや受験者等に支障をきたさないで最大の効果を発揮する為にも、軽量で、コンパクトで、且つ、騒音が少なく、操作性の良い装置に仕上げる事が重要である。
【実施例１】
【００１２】
そこで、この考案の一実施例を図１〜図３に基づいて詳述すると、自動車等の車両運転時のドライバーや受験勉強者等の眠気を覚ます為の用具であって、該用具は主として車両等のハンドルを握る時や受験勉強時に使用する複数の通気穴（１ａ）を有する手袋（１）と、手袋（１）の手首部分に装着した眠気防止装置（２）から成り、該眠気防止装置（２）は上下分割可能な装置本体（２ａ）（２ｂ）と、モートル等の駆動手段（Ｍ）により回転させて送風するファン（２ｄ）から成り、且つ、使用時はファン（２ｄ）により冷風（ＣＡ）を手袋内に送風して手を冷やし眠気を防止する事を特徴とする手袋式眠気防止具から構成される。
【００１３】
次に、この考案の構造について詳細に説明すると、図１に示す様に複数の通風穴（１ａ）を有する手袋（１）の手首の部分に上下分割可能な樹脂製の眠気防止装置本体（２ａ）（２ｂ）が装着され、且つ、該眠気防止装置本体（２ｂ）中央部には、外気を取り入れる為のファン（２ｄ）とファンを駆動させる為のモートル等の駆動手段（Ｍ）が同軸に軸支されている。
【００１４】
又、図２（Ｂ）・図３に示す様に眠気防止装置本体（２ｂ）下部前後には複数の給排気穴（ＳＨ）（ＥＨ）を設け、且つ、使用時にはファン（２ｄ）により冷却した冷風（ＣＡ）を手袋（１）内部に送風する仕組みに成っていて、送風された冷風（ＣＡ）は最終的には手袋に設けた複数の通気穴（１ａ）から排出される。そして、図２（Ａ）はボタン型乾電池（ＢＡ）の装着状態を示す断面図で、図３は眠気防止具本体（２ａ）（２ｂ）部分の縦割断面図である。
【００１５】
次に、眠気防止装置（２）の作動方法について説明すると、モートル等の駆動手段（Ｍ）は装置本体の蓋（２ｃ）を取り、ボタン型乾電池（ＢＡ）を端子（Ｔ）（Ｔ）間にセットし、切替スィッチ（ＳＷ）を入れるとリード線（ＥＷ１）（ＥＷ２）（ＥＷ３）を経由して電流が流れ、電動モートル等の駆動手段（Ｍ）が回転し、ファン（２ｄ）が回転する。尚、切替スィッチ（ＳＷ）は低速回転（ＬＯ）、高速回転（ＨＩ）、停止（ＯＦＦ）の三段切り替えに成っていて、使用状況に合わせて適宜調整切り替えする。尚、本装置に使用する乾電池は、上記ボタン型乾電池（ＢＡ）の代わりに円筒型アルカリ乾電池や充電式乾電池（単三、単四）等を使用しても構わない。
【実施例２】
【００１６】
更に、上記実施例１の手袋式眠気防止具に変わって、実施例２を図４に基づいて詳述すると、用具は主としてドライバーや受験勉強者等の手首や足首等に装着して使用するリストバンドや面ファスナーやベルト等の固定部材（３）と、該固定部材（３）のほぼ中央部に設けた眠気防止装置（２）から成り、該眠気防止装置（２）は上下分割可能な装置本体（２ａ）（２ｂ）と、モートル等の駆動手段（Ｍ）により回転させて送風するファン（２ｄ）から成り、且つ、使用時はファン（２ｄ）により冷風（ＣＡ）を手首や足首等に当てて眠気を防止する事を特徴とする固定式眠気防止具から構成される。
【００１７】
本装置は、リストバンド（３）に眠気防止装置（２）を装着したものであり、装置の構造や使用方法については、実施例１と同一である。
【００１８】
尚、本装置はリストバンド（３）の他、面ファスナーやベルト等の固定部材で有れば何を使用しても構わない。
【実施例３】
【００１９】
更に、実施例３を図５に基づいて詳述すると、用具は自動車等の車両のハンドル（Ｈ）部に直接装着した眠気防止装置であって、該眠気防止装置（２’）は上下分割可能な装置本体（２ａ）（２ｂ）と、モートル等の駆動手段（Ｍ）により回転させて送風するファン（２ｄ）から成り、且つ、使用時はファン（２ｄ）により冷風（ＣＡ）を手に当ててドライバーの眠気を防止する事を特徴とするハンドル式眠気防止具から構成される。
【００２０】
本装置は、自動車等の車両のハンドル（Ｈ）部左右に固定用バンド（Ｂ）を使用して直接装着したものであり、装置の構造や使用方法については、実施例１と同一である。
【００２１】
又、本装置は、図６（Ａ）（Ｂ）に示す様に、自動車等の車両のハンドル（Ｈ）部中央に吸着盤等の係止手段（ＳＵ）を使用して固定しても構わない。
【産業上の利用可能性】
【００２２】
この考案の手袋・固定・ハンドル式眠気防止具は、軽量・安価で誰でも簡単に装着可能で、且つ、眠気防止に多大な効果が有る為、自動車を使用する多くのドライバーや受験者等の一般庶民をはじめ、運輸関係市場に寄与する点で産業上の利用可能性を有する。
【図面の簡単な説明】
【００２３】
【図１】この考案の一実施例を示し、（Ａ）は手袋式眠気防止具の平面図で、（Ｂ）は正面図で、（Ｃ）は図１（Ｂ）のｄ部（スィッチ部）拡大詳細図である。
【図２】この考案の一実施例を示し、（Ａ）は図１（Ａ）のａ−ａ矢視拡大断面図で、（Ｂ）は図１（Ａ）のｂ−ｂ矢視拡大断面図である。
【図３】この考案の一実施例を示し、図１（Ａ）のｃ−ｃ矢視拡大断面図である。
【図４】その他の一実施例を示し、（Ａ）はリストバンド式眠気防止具の平面図で、（Ｂ）は正面図である。
【図５】その他の一実施例を示し、（Ａ）はハンドル式眠気防止具の平面図で、（Ｂ）は図５（Ａ）のａ−ａ矢視拡大断面図である。
【図６】その他の一実施例を示し、（Ａ）はハンドル式眠気防止具の平面図で、（Ｂ）は図６（Ａ）のａ−ａ矢視拡大断面図である。
【符号の説明】
【００２４】
１  手袋
１ａ  通気穴
２  眠気防止装置
２’  眠気防止装置
２ａ  上部装置本体
２ｂ  下部装置本体
２ｃ  蓋
２ｄ  ファン
３  固定部材
Ａ  空気
ＳＨ  給気穴
ＥＨ  排気穴
Ｂ  固定用バンド
ＢＡ  乾電池
ＣＡ  冷風
ＥＷ１  リード線
ＥＷ２  リード線
ＥＷ３  リード線
Ｈ  ハンドル
ＳＷ  切替スィッチ
ＳＵ  吸着盤等の係止手段
Ｔ  端子
Ｍ  モートル等の駆動手段
【図１】
0003122029.tif 000003
【図２】
0003122029.tif 000004
【図３】
0003122029.tif 000005
【図４】
0003122029.tif 000006
【図５】
0003122029.tif 000007
【図６】
0003122029.tif 000008